(57)【要約】【課題】シェルター部屋が木造家屋およびその中の他の木造部屋と調和し、余計な外面加工処理をする必要がない木造シェルター部屋を有する木造家屋を提供する。【解決手段】複数の部屋を有する軸組構造の木造家屋において、少なくとも１つの部屋の中にシェルター機能を有する木造耐震構造の木造シェルター部屋を納める。【選択図】図４
2009097235.tif 000002
【特許請求の範囲】
【請求項１】
複数の部屋を有する軸組構造の木造家屋において、少なくとも１つの部屋の中にシェルター機能を有する木造耐震構造の木造シェルター部屋を納めたことを特徴とする木造シェルター部屋を有する木造家屋。
【請求項２】
複数の部屋を有する軸組構造の木造家屋において、少なくとも１つの部屋をシェルター機能を有する木造耐震構造に構築することを特徴とする木造シェルター部屋を有する木造家屋。
【請求項３】
前記木造シェルター部屋が、主として木製土台と木製トラス組柱と木製トラス桁と木製梁等の木製の軸組構造材から構成されることを特徴とする請求項１に記載の木造シェルター部屋を有する木造家屋。
【請求項４】
前記シェルター機能を有する部屋が、主として木製土台と木製トラス組柱と木製トラス桁と木製梁等の木製の軸組構造材から構成されることを特徴とする請求項２に記載の木造シェルター部屋を有する木造家屋。
【発明の詳細な説明】
【技術分野】
【０００１】
本発明は、木造シェルター部屋を有する木造家屋に関するものである。
【背景技術】
【０００２】
従来のシェルター部屋を有する木造家屋としては、木造り建屋の一間に鋼製の柱・梁等からなる鋼製地震シェルターを構築して、地震時に建屋が倒壊しても、この中に避難した人を守り、数日間の生活を保障できるものがあった（特開平８−３１２１９３号公開公報）。
【０００３】
しかし、前記従来のシェルター部屋は、鋼製構造であるため、これを収容する木造建屋と違和感があり、木造建屋と調和させようとすると、シェルター部屋を構成する鋼材を外面加工処理しなければならず、手間やコストがかかるだけでなく、その加工材によって部屋が狭くなる虞がある等の問題点がある。
【特許文献１】特開平８−３１２１９３号公開公報
【発明の開示】
【発明が解決しようとする課題】
【０００４】
本発明が解決しようとする課題は、シェルター部屋が木造家屋およびその中の他の木造部屋と調和し、余計な外面加工処理をする必要がない木造シェルター部屋を有する木造家屋を提供することにある。
【課題を解決するための手段】
【０００５】
本発明の木造シェルター部屋を有する木造家屋は、複数の部屋を有する軸組構造の木造家屋において、少なくとも１つの部屋の中にシェルター機能を有する木造耐震構造の木造シェルター部屋を納めたことを特徴とする。また、前記木造シェルター部屋が、主として木製土台と木製トラス組柱と木製トラス桁と木製梁等の木製の軸組構造材から構成されることを特徴とする。
さらに、本発明の木造シェルター部屋を有する木造家屋は、複数の部屋を有する軸組構造の木造家屋において、少なくとも１つの部屋をシェルター機能を有する木造耐震構造に構築することを特徴とする。また、前記シェルター機能を有する部屋が、主として木製土台と木製トラス組柱と木製トラス桁と木製梁等の木製の軸組構造材から構成されることを特徴とする。
【発明の効果】
【０００６】
本発明の木造シェルター部屋を有する木造家屋は、シェルター部屋が木造家屋およびその中の他の木造部屋と調和し、余計な外面加工処理をする必要がない。
【発明を実施するための最良の形態】
【０００７】
以下、本発明の木造シェルター部屋を有する木造家屋の一実施例について、図面を参照しながら説明する。
【０００８】
図１において、１は木造家屋、２は木造シェルター部屋である。
【０００９】
上記木造家屋１は、図２からも明らかなように、木製土台１ａと木製トラス組柱１ｂと木製桁１ｃと木製梁１ｄ等の木造の軸組構造材から構成されている。
【００１０】
上記木製トラス組柱１ｂは、複数本の木製柱１ｂ−１と、該木製柱１ｂ−１間にトラス状に組み付けられた木製斜材１ｂ−２および木製横架材１ｂ−３から構成されている。該木製トラス組柱１ｂは、木造家屋１のコーナー部では平面視でＬ字型に、木造家屋１の外面部ではＴ字型に、それぞれ組み付けられている（図１を参照）。上記木製斜材１ｂ−２は、中間に位置する木製柱１ｂ−１に対して対称に組み付けるのが好ましい。
図３からも明らかなように、上記木製桁１ｃと木製梁１ｄにより構成された、上記木製トラス組柱１ｂの天井部は、Ｘ状の木製斜材１ｅにより補強されている。なお、木造家屋１の内部では、十字型に組み付けてもよい（図示せず）。
【００１１】
上記木造シェルター部屋２は、図４からも明らかなように、上記木造家屋１の複数の部屋の内、地震時に避難し易い１部屋（１間）を選んで、その中に納められている。
【００１２】
上記木造シェルター部屋２は、図５からも明らかなように、主として木製土台２ａと木製トラス組柱２ｂと木製トラス桁２ｃと木製梁２ｄ等の木製の軸組構造材から構成されている。該木製トラス組柱２ｂは、複数本の木製柱２ｂ−１と、該木製柱２ｂ−１間にトラス状に組み付けられた木製斜材２ｂ−２および木製横架材２ｂ−３から構成されている。上記木製トラス桁２ｃは、Ｘ状の木製斜材２ｅを有する。
上記木造シェルター部屋２には、必要に応じて、木製天井屋根２ｆが組み付けられる。該木製天井屋根２ｆは、木製棟木２ｆ−１と木製天井パネル２ｆ−２から構成される。
【００１３】
上記実施例では、木造シェルター部屋２が上記木造家屋１の複数の部屋の内、地震時に避難し易い１部屋（１間）を選んで、その中に納められているが、本発明はこれに限定するものではなく、複数の部屋を有する軸組構造の木造家屋において、少なくとも１つの部屋をシェルター機能を有する木造耐震構造に構築してもよい。この場合、シェルター機能を有する部屋は、前記木造シェルター部屋２とほぼ同じ構造の、木製土台と木製トラス組柱と木製トラス桁と木製梁等の木製の軸組構造材から構成される。
【００１４】
上記実施例では、１階建の木造家屋について説明したが、本発明はこれに限定するものではなく、２階建て或いは３階建て等の複数階建ての木造家屋であってもよい。複数階の場合には、上記木造シェルター部屋２を１階だけでなく２階あるいは３階にも設けてもよい。この場合、木造シェルター部屋２を上下同じ位置に配置するのが好ましく、上記木製柱２ｂ−１を上下階を貫く貫柱とするのがよい。
【図面の簡単な説明】
【００１５】
【図１】本発明の木造家屋における木造シェルター部屋の一実施例を示す平面図である。
【図２】図１の木造家屋における木造トラス組柱の斜視図である。
【図３】図２の天井部の平面図である。
【図４】木造シェルター部屋を組み込んだ木造家屋の側面図である。
【図５】木造シェルター部屋の斜視図である。
【符号の説明】
【００１６】
１    木造家屋
１ａ  木製土台
１ｂ  トラス組柱
１ｂ−１  木製柱
１ｂ−２  木製斜材
１ｂ−３  木製横架材
１ｃ  木製桁
１ｄ  木製梁
１ｅ  木製斜材
２    木造シェルター部屋
２ａ  木製土台
２ｂ  木製トラス組柱
２ｃ  木製トラス桁
２ｄ  木製梁
２ｅ  木製斜材
２ｆ  木製屋根
２ｆ−１  木製棟木
２ｆ−２  木製天井パネル
【図１】
2009097235.tif 000003
【図２】
2009097235.tif 000004
【図３】
2009097235.tif 000005
【図４】
2009097235.tif 000006
【図５】
2009097235.tif 000007